(57)【要約】【課題】種類が異なるインクの混入を防止するために、インクジェットプリンターの種類毎に専用の廃液ボックスを使用する場合には、仕様が異なる多数の廃液ボックスの在庫管理の負担が大きい。【解決手段】第１プリンター１ａと接続される接続部と、第１プリンター１ａから排出されるインクを収容する収容部５１と、記憶部５６を有する廃液ボックス５０に対して収容部５１に収容するインクの種類を設定する廃液ボックスの管理方法であって、記憶部５６において、複数のインク種類に対して異なる記憶領域を割り当て、収容部５１への収容対象とするインク種類に対して割り当てられた記憶領域である選択記憶領域に、所定の種類指定データを書き込み、選択記憶領域以外の前記記憶領域を、種類指定データ以外のデータが記憶された状態で書き込み禁止とする。【選択図】図１
2020097135.tif 000002
【特許請求の範囲】
【請求項１】
プリンターと接続される接続部と、前記接続部を介して前記プリンターから排出されるインクを収容する収容部と、記憶部とを有する廃液ボックスに対して、前記収容部に収容するインクの種類を設定する廃液ボックスの管理方法であって、
前記記憶部において、複数のインク種類に対して個別に記憶領域を割り当て、
前記収容部への収容対象とするインク種類に対して割り当てられた前記記憶領域である選択記憶領域に、所定の種類指定データを書き込み、前記選択記憶領域以外の前記記憶領域を、前記種類指定データ以外のデータが記憶された状態で書き込み禁止とする
廃液ボックスの管理方法。
【請求項２】
前記記憶領域のいずれかに前記種類指定データが書き込まれている場合に、前記種類指定データが書き込まれている前記記憶領域が割り当てられたインク種類について、前記収容部への排出を許可し、前記種類指定データが書き込まれていない前記記憶領域が割り当てられたインク種類については、前記収容部への排出を禁止する
請求項１に記載の廃液ボックスの管理方法。
【請求項３】
プリンターと接続される接続部と、
前記接続部を介して前記プリンターから排出されるインクを収容する収容部と、
複数のインク種類のうちのいずれか1つを特定するインク種類特定データを記憶する記憶部と
を備える廃液ボックス。
【請求項４】
前記記憶部は、複数のインク種類に対して個別に割り当てられた記憶領域を有し、
前記インク種類特定データは、前記記憶領域のいずれか１つに書き込まれた所定の種類指定データと、前記種類指定データが書き込まれた前記記憶領域以外の前記記憶領域に、書き換え不能に保存された前記種類指定データ以外のデータとを含む
請求項３に記載の廃液ボックス。
【請求項５】
所定インク種類のインクを使用するプリンターであって、
前記プリンターと接続される接続部と、前記接続部を介して前記プリンターから排出されるインクを収容する収容部と、複数のインク種類のうちのいずれか１つを特定するインク種類特定データを記憶する記憶部とを有する廃液ボックスと、前記接続部により接続された場合に、
前記記憶部に記憶された前記インク種類特定データにより特定されるインク種類が、前記所定インク種類であるか否かを判断し、前記所定インク種類でなかったときには、前記廃液ボックスの使用が不可であることの報知、又は前記廃液ボックスへの前記所定インク種類のインクの排出を禁止する処理を行う廃液ボックス管理部
を備えるプリンター。
【請求項６】
前記記憶部は、複数のインク種類に対して個別に割り当てられた異なる記憶領域を有し、
前記インク種類特定データは、前記記憶領域のいずれか１つに書き込まれた所定の種類指定データと、前記種類指定データが書き込まれた前記記憶領域以外の前記記憶領域に、書き換え不能に保存された前記種類指定データとを含み、
前記廃液ボックス管理部は、
前記種類指定データが書き込まれた前記記憶領域が割り当てられたインク種類が、前記所定インク種類と異なるときに、前記インク種類特定データにより特定されるインク種類が、前記所定インク種類でないと判断する
請求項５に記載のプリンター。
【請求項７】
第１インク種類のインクを使用する第１プリンターと、
前記第１インク種類とは異なる第２インク種類のインクを使用する第２プリンターと、
前記第１プリンター及び前記第２プリンターのいずれにも接続可能に構成された接続部と、前記第１プリンターから排出される前記第１インク種類のインク、又は前記第２プリンターから排出される前記第２インク種類のインクを収容する収容部と、前記第１インク種類及び前記第２インク種類に対して個別に記憶領域が割り当てられた記憶部とを有する廃液ボックスとを備え、
前記第１プリンターは、前記接続部を介して前記廃液ボックスと接続されたときに、前記記憶部の前記第１インク種類に対して割り当てられた前記記憶領域に所定の種類指定データを書き込み、前記第２インク種類に対して割り当てられた前記記憶領域を、前記種類指定データ以外のデータを記憶した状態で書き込み禁止とする
廃液ボックス管理システム。
【請求項８】
前記第１プリンターは、前記接続部を介して前記廃液ボックスと接続されたときに、前記第２インク種類に対して割り当てられた前記記憶領域に前記種類指定データが保存されていたときには、前記廃液ボックスの使用が不可であることの報知、又は前記廃液ボックスへの前記第１インク種類のインクの排出を禁止する処理を行う
請求項７に記載の廃液ボックス管理システム。
【発明の詳細な説明】
【技術分野】
【０００１】
本発明は、廃液ボックスの管理方法、廃液ボックス、プリンター、及び廃液ボックスの管理システムに関する。
【背景技術】
【０００２】
従来、インクジェットプリンターにおいては、例えば、特許文献１に記載されているように、インクヘッドのノズルをクリーニングをする際に生じる廃インクを回収するために、廃液ボックスが備えられている。廃液ボックスに、顔料系、染料系、ＵＶインク系等の種類が異なるインクが混入すると、インクのリサイクルが困難になる、インクの固化により廃液ボックスが故障する等の不都合が生じる。
そのため、従来は、インクジェットプリンターの機種毎に専用の廃液ボックスを用意することにより、廃液ボックスに異なる種類のインクが混入することを防止していた。
【先行技術文献】
【特許文献】
【０００３】
【特許文献１】特開２０１１−８３８９６号公報
【発明の概要】
【発明が解決しようとする課題】
【０００４】
種類が異なるインクの混入を防止するために、インクジェットプリンターの種類毎に専用の廃液ボックスを用意する場合には、仕様が異なる多数の廃液ボックスの在庫を管理しなければならないため、在庫管理の負担が大きいという不都合がある。
【課題を解決するための手段】
【０００５】
上記課題を解決するための好ましい一態様として、プリンターと接続される接続部と、前記接続部を介して前記プリンターから排出されるインクを収容する収容部と、記憶部とを有する廃液ボックスに対して、前記収容部に収容するインクの種類を設定する廃液ボックスの管理方法であって、前記記憶部において、複数のインク種類に対して個別に記憶領域を割り当て、前記収容部への収容対象とするインク種類に対して割り当てられた前記記憶領域である選択記憶領域に、所定の種類指定データを書き込み、前記選択記憶領域以外の前記記憶領域を、前記種類指定データ以外のデータが記憶された状態で書き込み禁止とする廃液ボックスの管理方法が挙げられる。
【０００６】
上記廃液ボックスの管理方法において、前記記憶領域のいずれかに前記種類指定データが書き込まれている場合に、前記種類指定データが書き込まれている前記記憶領域が割り当てられたインク種類について、前記収容部への排出を許可し、前記種類指定データが書き込まれていない前記記憶領域が割り当てられたインク種類については、前記収容部への排出を禁止する構成としてもよい。
【０００７】
上記課題を解決するための好ましい別態様として、プリンターと接続される接続部と、前記接続部を介して前記プリンターから排出されるインクを収容する収容部と、複数のインク種類のうちのいずれか1つを特定するインク種類特定データを記憶する記憶部を備える廃液ボックスが挙げられる。
【０００８】
上記廃液ボックスにおいて、前記記憶部は、複数のインク種類に対して個別に割り当てられた記憶領域を有し、前記インク種類特定データは、前記記憶領域のいずれか１つに書き込まれた所定の種類指定データと、前記種類指定データが書き込まれた前記記憶領域以外の前記記憶領域に、書き換え不能に保存された前記種類指定データ以外のデータとを含む構成としてもよい。
【０００９】
上記課題を解決するための好ましい別態様として、所定インク種類のインクを使用するプリンターであって、前記プリンターと接続される接続部と、前記接続部を介して前記プリンターから排出されるインクを収容する収容部と、複数のインク種類のうちのいずれか１つを特定するインク種類特定データを記憶する記憶部とを有する廃液ボックスと、前記接続部により接続された場合に、前記記憶部に記憶された前記インク種類特定データにより特定されるインク種類が、前記所定インク種類であるか否かを判断し、前記所定インク種類でなかったときには、前記廃液ボックスの使用が不可であることの報知、又は前記廃液ボックスへの前記所定インク種類のインクの排出を禁止する処理を行う廃液ボックス管理部を備えるプリンターが挙げられる。
【００１０】
上記プリンターにおいて、前記記憶部は、複数のインク種類に対して個別に割り当てられた異なる記憶領域を有し、前記インク種類特定データは、前記記憶領域のいずれか１つに書き込まれた所定の種類指定データと、前記種類指定データが書き込まれた前記記憶領域以外の前記記憶領域に、書き換え不能に保存された前記種類指定データとを含み、前記廃液ボックス管理部は、前記種類指定データが書き込まれた前記記憶領域が割り当てられたインク種類が、前記所定インク種類と異なるときに、前記インク種類特定データにより特定されるインク種類が、前記所定インク種類でないと判断する構成としてもよい。
【００１１】
上記課題を解決するための好ましい別態様として、第１インク種類のインクを使用する第１プリンターと、前記第１インク種類とは異なる第２インク種類のインクを使用する第２プリンターと、前記第１プリンター及び前記第２プリンターのいずれにも接続可能に構成された接続部と、前記第１プリンターから排出される前記第１インク種類のインク、又は前記第２プリンターから排出される前記第２インク種類のインクを収容する収容部と、前記第１インク種類及び前記第２インク種類に対して個別に記憶領域が割り当てられた記憶部とを有する廃液ボックスとを備え、前記第１プリンターは、前記接続部を介して前記廃液ボックスと接続されたときに、前記記憶部の前記第１インク種類に対して割り当てられた前記記憶領域に所定の種類指定データを書き込み、前記第２インク種類に対して割り当てられた前記記憶領域を、前記種類指定データ以外のデータを記憶した状態で書き込み禁止とする廃液ボックス管理システムが挙げられる。
【００１２】
上記廃液ボックス管理システムにおいて、前記第１プリンターは、前記接続部を介して前記廃液ボックスと接続されたときに、前記第２インク種類に対して割り当てられた前記記憶領域に前記種類指定データが保存されていたときには、前記廃液ボックスの使用が不可であることの報知、又は前記廃液ボックスへの前記第１インク種類のインクの排出を禁止する処理を行う構成としてもよい。
【００１３】
上記課題を解決するための各態様は、上述した廃液ボックスの管理方法、廃液ボックス、プリンター、及び廃液ボックス管理システム以外の種々の形態で実現されてもよい。例えば、上記の廃液ボックスの管理方法、プリンター、及び廃液ボックス管理システムを実現するためのコンピューター又はプロセッサーのプログラムであってもよい。或いは、上記プログラムを記録した記録媒体、プログラムを配信するサーバー装置、上記プログラムを伝送する伝送媒体、上記プログラムを搬送波内に具現化したデータ信号等であってもよい。
【図面の簡単な説明】
【００１４】
【図１】プリンター及び廃液ボックスの要部の説明図。
【図２】クリーニング機構の説明図。
【図３】廃液ボックスに備えられた記憶部に、収容対象のインク種類を設定するデータを書き込む処理の説明図。
【図４】プリンターに廃液ボックスが接続されたときに実行される処理のフローチャート。
【発明を実施するための形態】
【００１５】
［１．プリンター及び廃液ボックスの構成］
図１〜図２を参照して、本発明を適用した実施形態におけるプリンター及び廃液ボックスの構成について説明する。図１はプリンター及び廃液ボックスの要部の説明図である。図２はプリンターに備えられたクリーニング機構の説明図である。
【００１６】
図１を参照して、第１プリンター１ａ、第２プリンター１ｂ、及び廃液ボックス５０により、廃液ボックス管理システムが構成される。第１プリンター１ａ及び第２プリンター１ｂはインクジェットプリンターであり、第１プリンター１ａは、第１インク種類のインクを使用する。また、第２プリンター１ｂは、第１インク種類と異なる第２インク種類のインクを使用する。第１プリンター１ａと第２プリンター１ｂは、使用するインクの種類が異なる点を除いて同一の構成を有しているため、以下では、主として第１プリンター１ａについて説明する。
【００１７】
ここで、インク種類が異なるとは、廃液ボックス５０に混入して収容されたときに、混合による固着等により、廃液ボックス５０の破損、廃液の漏れ、廃液ボックス５０内に収納された廃液吸着剤の吸着量の減少等の不都合が生じることを意味している。例えば、第１インク種類が顔料であり、第２インク種類が染料或いはＵＶインクであるときに、第１インク種類と第２インク種類は異なるインク種類である。
【００１８】
廃液ボックス５０は、第１プリンター１ａと第２プリンター１ｂのいずれでも使用することができるが、第１プリンター１ａで使用される第１インク種類のインクと、第２プリンター１ｂで使用される第２インク種類のインクの混合を避ける必要がある。そこで、第１プリンター１ａと第２プリンター１ｂは、後述するように、廃液ボックス５０に、第１インク種類のインクと第２インク種類のインクが共に排出されて混入することを防止するための処理を行う。
【００１９】
廃液ボックス５０は、廃液を収容する収容部５１と、ＩＣチップ５５とを備えている。ＩＣチップ５５は、記憶部５６と、第１制御ユニット１０ａと接続して、記憶部５６へのデータの書込みと記憶部５６に保存されたデータの読み込みを行うための接続端子５７とを備えている。記憶部５６には、後述するように、廃液ボックス５０に対してインク種別を指定する種類指定データ等が書き込まれる。
【００２０】
第１プリンター１ａは、第１制御ユニット１０ａ、印刷ヘッド１１、クリーニング機構１２、カートリッジ交換検出部１３、インクエンド検出部１４、及び廃液ボックス５０が装着される装着部１５ａを備えている。第１制御ユニット１０ａは、ＣＰＵ（Central Processing Unit）２０、メモリー３０等により構成された電子回路ユニットであり、第１プリンター１ａの全体的な作動を制御する。ＣＰＵ２０は、１又は複数のプロセッサーにより構成されてもよい。メモリー３０には、第１プリンター１ａの制御用プログラム３１、印刷ヘッド１１のノズルクリーニングの実施状況が記録されたクリーニング情報３２等が保存されている。
【００２１】
ＣＰＵ２０は、メモリー３０に保存された第１プリンター１ａの制御用プログラム３１を読み込んで実行することにより、印刷制御部２１、クリーニング機構制御部２２、及び廃液ボックス管理部２３として機能する。廃液ボックス管理部２３により、本発明の廃液ボックスの管理方法が実行される。
【００２２】
印刷制御部２１は、印刷ヘッド１１の作動を制御して図示しない用紙への印刷を行う。クリーニング機構制御部２２は、クリーニング機構１２の作動を制御して、印刷ヘッド１１のノズルクリーニングを行う。ノズルクリーニングの実施に伴って印刷ヘッド１１から排出されるインクは、廃液ボックス５０に収容される。
【００２３】
廃液ボックス管理部２３は、装着部１５ａに装着された新品の廃液ボックス５０を、第１プリンター１ａで使用される第１インク種類用に設定する。また、廃液ボックス管理部２３は、装着部１５ａに装着された廃液ボックス５０が、既に第２インク種類用に設定されているときには、廃液ボックス５０への第１インク種類のインクの排出を禁止する。
【００２４】
図２を参照して、印刷ヘッド１１には、４体のインク収容部６２ａ，６２ｂ，６２ｃ，６２ｄを有するインクカートリッジ６１が装着されている。クリーニング機構１２は、各インク収容部６２ａ，６２ｂ，６２ｃ，６２ｄに対応して設けられたキャップ部材６３ａ，６３ｂ，６３ｃ，６３ｄを備えている。さらに、クリーニング機構１２は、各キャップ部材６３ａ，６３ｂ，６３ｃ，６３ｄに接続された選択開閉弁６０、及び選択開閉弁６０と廃液ボックス５０との間に接続された吸引ポンプ６５を備えている。廃液ボックス５０は、接続部５２を介して吸引ポンプ６５に接続されている。
【００２５】
クリーニング機構制御部２２は、印刷ヘッド１１のノズルクリーニングを行う際に、選択開閉弁６０により対象とするインク収容部を選択して、選択開閉弁６０を介してノズルと吸引ポンプ６５とを連通する。そして、クリーニング機構制御部２２は、吸引ポンプ６５を作動させることにより、選択されたインク収容部からインクを吸引して廃液ボックス５０に排出する。
【００２６】
カートリッジ交換検出部１３は、インクカートリッジ６１装着時にインクカートリッジ６１により押圧される図示しないスイッチからの検出信号により、インクカートリッジ６１の着脱を検出する。インクエンド検出部１４は、印刷により形成するドット数、ノズルクリーニングにより消費されたインク量等を積算して、インク収容部６２ａ，６２ｂ，６２ｃ，６２ｄの各々について、インク残量を算出する。そして、インクエンド検出部１４は、インク残量が所定のインクエンド値に達したか否かを判断することにより、インクエンドを検出する。
【００２７】
クリーニング機構制御部２２は、カートリッジ交換検出部１３による検出結果に基づいて、インクカートリッジ６１の交換を認識したとき、及びインクエンド検出部１４によりインクエンドが検出されたときに、インクヘッド１１のノズルクリーニングを行う。さらに、クリーニング機構制御部２２は、使用者によりノズルクリーニングの実施を指示する操作がなされたときに、印刷ヘッド１１のノズルクリーニングを行う。
【００２８】
［２．廃液ボックスの管理］
図３及び図４を参照して、廃液ボックス５０に異なるインク種類のインクが排出されることを防止するための構成と管理処理について説明する。図３は、廃液ボックスに備えられた記憶部に、収容対象のインク種類を設定するデータを書き込む処理の説明図である。図４は、プリンターに廃液ボックスが接続されたときに実行される処理のフローチャートである。
【００２９】
図３を参照して、廃液ボックス５０に備えられたＩＣチップ５５の記憶部５６は、１０種類のインク種類に対して個別に割り当てられたアドレス００〜０９の１０個の記憶領域を有している。本実施形態では、第１インク種類に対してアドレス０３の記憶領域が割り当てられ、第２インク種類に対してアドレス０７の記憶領域が割り当てられている。図３では、廃液ボックス５０の出荷時の初期状態をＡで示し、アドレス０７の記憶領域へのデータの書込みが禁止された状態をＢで示し、アドレス０３の記憶領域にインク種類を指定する種類指定データ「０ｘＦＦＦＦ」が書き込まれた状態をＣで示している。
【００３０】
図３のＣの状態では、アドレス０３の記憶領域が選択記憶領域に相当し、選択記憶領域以外のアドレス０７の記憶領域は、種類指定データ「０ｘＦＦＦＦ」以外のデータ「０ｘ００００」が保存された状態で、書込み禁止とされている。そのため、アドレス０７の記憶領域へのデータの書き込み及び書き換えが不能となっている。
【００３１】
以下、図４に示したフローチャートに従って、第１プリンター１ａに廃液ボックス５０が接続された場合の処理について説明する。第１制御ユニット１０ａの廃液ボックス管理部２３は、第１制御ユニット１０ａにＩＣチップ５５の接続端子５７が接続されたことを認識したときに、図４に示したフローチャートによる処理を実行する。
【００３２】
廃液ボックス管理部２３は、図４のステップＳ１で、「第２インク種類」に割り当てられたアドレス０７の記憶領域に保存されたデータを読み込む。続くステップＳ２で、廃液ボックス管理部２３は、読み込んだデータが０ｘＦＦＦＦであるか否かを判断する。０ｘＦＦＦＦは、インク種類が指定されていることを示す種類指定データである。
【００３３】
廃液ボックス管理部２３は、読み込んだデータが０ｘＦＦＦＦであるときはステップＳ１０に処理を進める。この場合は、廃液ボックス５０が既に第２インク種類用に設定されており、第１インク種類のインクを排出することができない。そのため、廃液ボックス管理部２３は、第１インク種類を使用する第１プリンター１ａにおける廃液ボックス５０の使用を禁止し、廃液ボックス５０の使用が不可であることを、図示しない表示部への表示等により使用者に報知する。そして、廃液ボックス管理部２３は、第１プリンター１ａにおける廃液ボックス５０の使用を禁止する。
【００３４】
一方、読み込んだデータが０ｘＦＦＦＦでないときには、廃液ボックス管理部２３は、ステップＳ３に処理を進める。ステップＳ３で、廃液ボックス管理部２３は、「第２インク種類」に割り当てられたアドレス０７の記憶領域を書き込み禁止に設定して、図３のＢで示した状態にする。続くステップＳ４で、廃液ボックス管理部２３は、「第１インク種類」に割り当てられたアドレス０３の記憶領域に、０ｘＦＦＦＦを書き込む。第１インク種類は、所定インク種類に相当する。
【００３５】
次のステップＳ５で、廃液ボックス管理部２３は、アドレス０３の記憶領域に保存されたデータを読み込む。続くステップＳ６で、廃液ボックス管理部２３は、読み込んだデータが０ｘＦＦＦＦであるか否かを判断する。そして、読み込んだデータが０ｘＦＦＦＦであるときは、廃液ボックス管理部２３は、ステップＳ７に処理を進める。この場合は、図３のＣに示したように、アドレス０３の記憶領域に正常に０ｘＦＦＦＦが書き込まれて、廃液ボックス５０への収容対象とするインク種類が第１インク種類に設定された状態となる。そのため、廃液ボックス管理部２３は、第１プリンター１ａにおける廃液ボックス５０の使用を許可する。
【００３６】
一方、ステップＳ６で、読み込んだデータが０ｘＦＦＦＦでないときには、廃液ボックス管理部２３は、ステップＳ２０に処理を進める。この場合は、データの書き込み不良でるため、廃液ボックス管理部２３は、廃液ボックス５０の使用が不可であることを、図示しない表示部への表示等により使用者に報知する。そして、廃液ボックス管理部２３は、第１プリンター１ａにおける廃液ボックス５０の使用を禁止する。
【００３７】
第２プリンター１ｂにおいても、第２装着部１５ｂに廃液ボックス５０が装着されて、第２制御ユニット１０ｂにＩＣチップ５５の接続端子５７が接続されたときに、図４に示したフローチャートによる処理と同様の処理が実行される。そして、廃液ボックス５０が第１種類インク用に設定されている場合は、第２制御ユニット１０ｂにより、第２プリンター１ｂにおける廃液ボックス５０の使用が禁止される。
【００３８】
以上説明したように、本実施形態の第１プリンター１ａ、廃液ボックス５０、第１プリンター１ａにより実行される廃液ボックスの管理方法、及び第１プリンター１ａと第２プリンター１ｂと廃液ボックス５０とを備えた廃液ボックスの管理システムが構成される。これらの構成により、廃液ボックスに異なるインク種類のインクが混入して排出されることを防止して、異なるインク種類のインクを使用する複数のプリンター間で、共通仕様の廃液ボックスを使用することができる。これにより、廃液ボックスの在庫管理の負担を軽減することができる。
【００３９】
［３．他の実施形態］
上記実施形態では、第１インク種類のインクを使用する第１プリンター１ａ及び第２インク種類のインクを使用する第２プリンター１ｂと、第１プリンター１ａ及び第２プリンター１ｂに接続可能な廃液ボックス５０とを示した。他の構成として、異なるインク種類のインクを使用する３台以上のプリンターにおいて、共通仕様の廃液ボックスを使用する場合にも、本発明の適用が可能である。この場合は、図３に示したように、複数のインク種類に対して個別に割り当てられた記憶領域の中から、使用するインク種類に対応する記憶領域を選択して、種類指定データを書き込むようにすればよい。
【００４０】
上記実施形態では、図３に示したように、いずれか一つの記憶領域に書き込んだ種類指定データと、他の記憶領域に保存された種類指定データ以外のデータとにより、インク種類特定データを構成した。他の構成によるインク種類特定データを、記憶部５６に記憶させることにより、廃液ボックス５０への排出を許可するインク種類を設定するようにしてもよい。
【００４１】
図１に示した機能ブロックのうち少なくとも一部は、ハードウェアで実現してもよいし、ハードウェアとソフトウェアの協働により実現される構成としてもよく、図に示した通りに独立したハードウェア資源を配置する構成に限定されない。ＣＰＵ２０が実行するプログラムは、メモリー３０に限らず、第１プリンター１ａとは別体として構成される記憶装置に記憶されてもよい。また、ＣＰＵ２０が、外部の装置に記憶されたプログラムを取得して実行する構成としてもよい。
その他、第１プリンター１ａを構成する機器の他の各部の具体的な細部構成についても、本発明の趣旨を逸脱しない範囲で任意に変更可能である。
【符号の説明】
【００４２】
１ａ…第１プリンター、１ｂ…第２プリンター、１０ａ…第１制御ユニット、１０ｂ…第２制御ユニット、１１…印刷ヘッド、１２…クリーニング機構、１３…カートリッジ交換検出部、１４…インクエンド検出部、１５ａ…第１装着部、１５ｂ…第２装着部、２０…ＣＰＵ、２１…印刷制御部、２２…クリーニング機構制御部、２３…廃液ボックス管理部、３０…メモリー、３１…制御用プログラム、３２…クリーニング情報、５０…廃液ボックス、５１…収容部、５２…接続部、５５…ＩＣチップ、５６…記憶部、５７…接続端子、６０…選択開閉弁、６１…インクカートリッジ、６２ａ〜６２ｄ…インク収容部、６３ａ〜６３ｄ…キャップ部、６５…吸引ポンプ。
【図１】
2020097135.tif 000003
【図２】
2020097135.tif 000004
【図３】
2020097135.tif 000005
【図４】
2020097135.tif 000006